(57)【要約】      （修正有）【課題】枕において、使用者の体型や寝姿勢に適応した最適な高さや形状に調整することができ、詰め物が枕袋外に流出し難い枕を提供する。【解決手段】枕１は、上生地２と、上生地に対向配置される下生地３と、上生地及び下生地の間に形成される枕袋１０内に詰め込まれる綿状の詰め物４と、を備える。枕袋は、上生地及び下生地が略中央において互いに円形に縫い合わされて成る凹部５と、枕袋の一方の側辺に設けられ詰め物を出し入れ可能とする開口１１と、を有する、上生地は、その一辺から延設されると共に上生地の表側に折り返されて成る被せ部２１を有し、被せ部を上生地側から下生地側に折り返したとき、開口が被せ部によって覆われる。【選択図】図１
0003232897.tif 000002
【実用新案登録請求の範囲】
【請求項１】
上生地と、前記上生地に対向配置される下生地と、前記上生地及び前記下生地の間に形成される枕袋内に詰め込まれる綿状の詰め物と、を備えた枕であって、
前記枕袋は、前記上生地及び前記下生地が略中央において互いに円形に縫い合わされて成る凹部と、前記枕袋の一方の側辺に設けられ前記詰め物を出し入れ可能とする開口と、を有し、
前記上生地は、その一辺から延設されると共に該上生地の表側に折り返されて成る被せ部を有し、
前記被せ部を前記上生地側から前記下生地側に折り返したとき、前記開口が前記被せ部によって覆われることを特徴とする枕。
【請求項２】
前記枕袋は、長辺の長さが６２±１５ｃｍ、短辺の長さが４２±１０ｃｍ、前記凹部の直径が１０±２ｃｍであることを特徴とする請求項１に記載の枕。
【請求項３】
前記開口に取り付けられる弁生地を更に備え、
前記弁生地が前記開口内に押し込まれることで、前記開口を塞ぐことを特徴とする請求項１又は請求項２に記載の枕。
【請求項４】
前記下生地は、その一辺から延設されると共に該下生地の表側に折り返されて成る二重被せ部を有することを特徴とする請求項１乃至請求項３のいずれか一項に記載の枕。
【考案の詳細な説明】
【技術分野】
【０００１】
本考案は、使用者が適宜に高さなどを調整することができる枕に関する。
【背景技術】
【０００２】
一般的な枕は、形状や高さが予め設定されており、使用者は、自身の体型や寝姿勢に適応した枕を用いなければ、快適な睡眠を得られないだけでなく、肩こりや頭痛などの身体の不調を引き起こすこともある。
【０００３】
そこで、枕の上生地の中央に凹み部を設けると共に、下生地側に枕の高さを調整するための調整用パッドを収容できるようにした枕が知られている（例えば、特許文献１参照）。この枕によれば、凹み部に使用者の後頭部が収まるので、後頭部の圧迫集中が抑えられ、凹み部の前方の膨らみにより首頸椎が安定的に保持され、また、調整用パッドで高さを調整することで、セミオーダータイプの枕を実現することができる。
【先行技術文献】
【特許文献】
【０００４】
【特許文献１】実用新案登録第３２１４７９７号公報
【考案の概要】
【考案が解決しようとする課題】
【０００５】
しかしながら、上記特許文献１に記載の枕では、下生地側に平たい調整用パッドを収容して高さを調整するので、枕全体の高さを調整することができるが、膨らみ部分の高さなどを個別に調整することができない。そのため、首の長さなどの個人の体型や寝姿勢に応じた最適な高さや形状の枕を得ることができない。また、仮に、枕袋の一部に、綿などの詰め物を出し入れでるようにした場合には、使用時に綿が枕袋外に流出し、布団周りが綿埃まみれになってしまう虞がある。
【０００６】
本考案は、上記課題に鑑みてなされたものであり、使用者は、自身の体型や寝姿勢に適応した最適な高さや形状に調整することができ、しかも綿状の詰め物が枕袋外に流出し難い枕を提供することを目的とする。
【課題を解決するための手段】
【０００７】
上記課題を解決するため、本考案は、上生地と、前記上生地に対向配置される下生地と、前記上生地及び前記下生地の間に形成される枕袋内に詰め込まれる綿状の詰め物と、を備えた枕であって、前記枕袋は、前記上生地及び前記下生地が略中央において互いに円形に縫い合わされて成る凹部と、前記枕袋の一方の側辺に設けられ前記詰め物を出し入れ可能とする開口と、を有し、前記上生地は、その一辺から延設されると共に該上生地の表側に折り返されて成る被せ部を有し、前記被せ部を前記上生地側から前記下生地側に折り返したとき、前記開口が前記被せ部によって覆われることを特徴とする。
【０００８】
上記枕は、長辺の長さが６２±１５ｃｍ、短辺の長さが４２±１０ｃｍ、前記凹部の直径が１０±２ｃｍであることが好ましい。
【０００９】
上記枕において、前記開口に取り付けられる弁生地を更に備え、前記弁生地が前記開口内に押し込まれることで、前記開口を塞ぐことが好ましい。
【００１０】
上記枕において、前記下生地は、その一辺から延設されると共に該下生地の表側に折り返されて成る二重被せ部を有することが好ましい。
【考案の効果】
【００１１】
本考案によれば、使用者は、開口から詰め物を出し入れすることで、枕を自身の体型や寝姿勢に適応した最適な高さや形状に調整することができる。また、被せ部を下生地側から上生地側に折り返すと、開口が露出するので、容易に詰め物を出し入れすることができ、被せ部を上生地側から下生地側に折り返すと、開口が被せ部で覆われるので、詰め物の流出を抑制することができる。
【図面の簡単な説明】
【００１２】
【図１】（ａ）は本考案の第１の実施形態に係る枕の使用時の状態を示す斜視図、（ｂ）は（ａ）の状態の断面図、（ｃ）は上記枕の被せ部を上生地側に折り返した状態を示す斜視図、（ｄ）は（ｃ）の状態の断面図、（ｅ）は上記枕の弁生地を外へ出した状態を示す斜視図、（ｆ）は（ｅ）の状態の断面図。
【図２】（ａ）〜（ｃ）は上記枕の上生地の処理手順を示す斜視図。
【図３】（ａ）（ｂ）は上記枕の弁生地の処理手順を示す斜視図、（ｃ）は上記枕の上生地と弁生地を縫合する処理を示す斜視図。
【図４】（ａ）（ｂ）は上記枕の下生地の処理手順を示す斜視図。
【図５】（ａ）〜（ｄ）上記上生地と下生地を縫合して枕袋を作製する処手順を示す斜視図。
【図６】上記枕の凹部を作製する手順を示す斜視図。
【図７】（ａ）は上記枕袋に詰め物を収容する手順を示す平面図、（ｂ）は断面図。
【図８】（ａ）は本考案の第２の実施形態に係る枕の使用時の状態を示す斜視図、（ｂ）は（ａ）の状態の断面図、（ｃ）は上記枕の被せ部及び二重被せ部を上生地側に折り返した状態を示す斜視図、（ｄ）は（ｃ）の状態の断面図、（ｅ）は上記二重被せ部を下生地側に折り返した状態を示す斜視図、（ｆ）は（ｅ）の状態の断面図。
【図９】（ａ）（ｂ）は上記枕の上生地の処理手順を示す斜視図。
【図１０】（ａ）（ｂ）は上記枕の弁生地の処理手順を示す斜視図。
【図１１】（ａ）〜（ｃ）上記上生地と下生地を縫合して枕袋を作製する処手順を示す斜視図、（ｄ）は上記枕の凹部を作製する手順を示す斜視図。
【考案を実施するための形態】
【００１３】
本考案の第１の実施形態に係る枕について、図面を参照して説明する。図１（ａ）（ｂ）に示すように、本実施形態の枕１は、上生地２と、上生地２に対向配置される下生地３と、上生地２及び下生地３の間に形成される枕袋１０内に詰め込まれる綿（わた）状の詰め物４と、を備える。なお、以下の説明において、斜視図の左下方を前、右日上方を後と表現する。
【００１４】
上生地２及び下生地３は、綿（めん）、ポリエステル、レーヨン等から成る汎用の生地であり、パイル系生地、ガーゼ系生地又はサテン系生地のいずれでも良いが、繊維の目が細かく、伸縮性が小さく、綿が流出し難いサテン系のポリエステル１００％生地が好ましい。詰め物４は、綿、ポリエステル等から成る汎用の綿であり、所定の弾力性と、防カビ・防ダニ性があり、洗濯にも適していて衛生面にも優れるポリエステル綿が好ましい。
【００１５】
枕袋１０は、平面視で長方形の上生地２及び下生地３の少なくとも３方の辺を互いに縫い合わせて作製されたものであり、詰め物４を入れていない状態では、長辺の長さが６２±１５ｃｍ、短辺の長さが４２±１０ｃｍであり、最も一般的な枕カバーに収容することができる６２ｃｍ×４２ｃｍであることが好ましい。
【００１６】
また、枕袋１０は、上生地２及び下生地３が略中央において互いに円形に縫い合わされて成る凹部５と、枕袋１０の一方の側辺に設けられて詰め物４を出し入れ可能とする開口１１と、を有する（図１（ｃ）〜（ｆ）参照）。また、枕１は、上生地２の一辺から延設された被せ部２１を有する。被せ部２１は、通常使用時は、図１（ａ）（ｂ）に示したように、下生地３側に配置される。また、被せ部２１は、詰め物４の出し入れの際には、図１（ｃ）〜（ｆ）に示したように、下生地３側から上生地２側に折り返され、この状態で、開口１１が外部に露出した状態となる。
【００１７】
また、本実施形態の枕１は、開口１１取り付けられる弁生地６を更に備える。この弁生地６は、開口１１を成す上生地２の裏側に縫い合わされており、通常使用時は、図１（ａ）（ｂ）に示したように、開口１１内に収納され、詰め物４が開口１１から流出しないように、弁としての役割を果たす。また、弁生地６は、図１（ｅ）（ｆ）に示したように、開口１１から外に引き出すことができ、これにより、開口１１を通じて枕袋１０の内外に詰め物４の出し入れが可能となる。
【００１８】
次に、本実施形態の枕１の作製手順について、図２〜図７を参照して説明する。図２（ａ）に示すように、まず、上生地２として、長辺９３ｃｍ、短辺４４ｃｍの長方形の生地を用意する。ここでは、上生地２の裏面側を上に配置する。そして、一方の短辺を１ｃｍずつ２回にわたって、裏面側に折り返して、図２（ｂ）に示すように、短辺を縫合し、端部処理を行う。更に、図２（ｃ）に示すように、端部処理を行った短辺側から更に２８ｃｍを表面側に折り返す。この折り返した生地が、被せ部２１となる。図中の一点鎖線は、折り返した生地の辺を示し、図示した生地の裏側に、折り返した生地が存在することを意味する。なお、実際の手順では、図２（ｂ）の端部処理の後に、表面を上に配置してから折り返して、待ち針等で折り位置を保持すればよい。
【００１９】
次に、図３（ａ）に示すように、弁生地６として、２４ｃｍ各の正方形の生地を用意する。ここでは、裏面側を上に配置して、４辺をそれぞれ２ｃｍずつ折り返して、図３（ｂ）に示すように、４辺を縫合し、端部処理を行う。そして、図３（ｃ）に示すように、端部処理を行った弁生地６を、表側を上にして、上生地２の裏面側において、前後にそれぞれ１２ｃｍの間隔ができるように配置し、弁生地６を上生地２に縫合する。
【００２０】
続いて、図４（ａ）に示すように、下生地３として、長辺６５ｃｍ、短辺４４ｃｍの長方形の生地を用意する。ここでは、一方の短辺を１ｃｍずつ２回にわたって、裏面側に折り返して、図４（ｂ）に示すように、短辺を縫合し、端部処理を行う。なお、実際の手順では、裏面を上に配置して折り返して、縫合すればよい。
【００２１】
そして、図５（ａ）に示すように、上記のように処理した下生地３の上に、上生地２を配置する。ここでは、下生地３の表面と上生地２の表面とが向かい合うように、２つの生地を重ね合わせる。続いて、図５（ｂ）に示すように、これらを縫合する。まず、弁生地６を取り付けた短辺側を縫合する。ここでは、短辺から０．５ｃｍの位置において、それぞれ前後の１３ｃｍずつ縫合する。更に、弁生地６が無い短辺と、前後２つの長辺とを、それぞれ１ｃｍの位置において、全辺にわたって縫合する。これにより、上生地２と下生地３との間に枕袋１０が形成されると共に、図５（ｃ）に示すように、弁生地６の有る短辺には、１８ｃｍ程の縫合されていない箇所ができ、ここが開口１１となる。そして、開口１１を通じて、枕袋１０の裏と表が逆になるようにひっくり返す。これにより、縫い代の分だけ小さくなって、図５（ｄ）に示すように、横６２ｃｍ（開口位置の最大長さ）、縦４２ｃｍの枕袋１０が仕上がる。
【００２２】
最後に、図６に示すように、枕袋１０の略中央において、上生地２及び下生地３を互いに円形に縫い合わせて、凹部５を作製する。凹部５は、円形部分が直径１０±２ｃｍとなるように作製されることが好ましい。以上により、本実施形態の枕袋１０が完成する。
【００２３】
続いて、上記のようにして作製した枕袋１０に、詰め物４（ポリエステル綿）を入れていく。詰め物４を出し入れする際には、図７（ａ）（ｂ）に示すように、被せ部２１を上生地２側にして、弁生地６を開口１１から外に取出した状態とする。詰め物４を入れる際には、凹部５の左右の箇所（図７（ａ）の（１）（２））が、凹部５の前後の箇所（図７（ａ）の（３）（４））の箇所よりも、多めの詰め物４を入れることが好ましい。（１）（２）の箇所を高くすることで、使用者が寝返りを打って横向き寝になった時に、頭の位置が高くなり、肩に負担がかかり難い自然な形になる。また、（３）（４）の箇所を低くすることで、使用者が仰向け寝になった時にも、首が反ることがなく、楽な姿勢にすることができる。もっとも、枕１は、仰向け寝を意識して眠りに入ることが望ましく、起床時に違和感があれば、詰め物４を足したり抜いたりすればよく、（３）（４）の箇所の高さも適宜に調整すればよく、例えば、（３）の箇所を低めに、（４）の箇所の高さめにする等であってもよい。なお、凹部５は、上生地２及び下生地３を縫い合わせているので、凹部５の箇所には詰め物４は入らない。
【００２４】
このように、枕１によれば、使用者は、開口１１から詰め物４を出し入れすることで、枕１を自身の体型や寝姿勢に適応した最適な高さや形状に調整することができる。これにより、実質的にオーダーメイドの枕と等しい枕を実現することができ、使用者は、睡眠時の姿勢等の悪影響による肩こりや頭痛等が改善されることを期待できる。
【００２５】
また、詰め物４の出し入れに際しては、被せ部２１を下生地３側から上生地２側に折り返すと、開口１１が露出するので、更に弁生地６を外に出して、容易に詰め物４を出し入れすることができる（図１（ｃ）（ｅ）参照）。また、使用時には、被せ部２１を上生地２側から下生地３側に折り返すと、開口１１がカバーされるので、詰め物４が外に流出することを抑制することができる（図１（ｂ）参照）。
【００２６】
また、枕１の使用時（就寝時等）において、被せ部２１は、下生地３側に配置されるので、使用者が生地の重なりによる段差を感じることもなく、外観も一般的な枕と殆ど同じものとなる。なお、図１（ｂ）（ｄ）（ｆ）では、説明の都合上、被せ部２１や弁生地６と、上生地２や下生地３との間に隙間を設けているが、実際に詰め物４が詰め込まれた枕袋１０は、膨張しており、被せ部２１や弁生地６は、上生地２や下生地３に殆ど隙間なくピッタリと密着しており、詰め物４が流出することは殆どない。また、開口１１を塞ぐ構成として、チャックや面ファスナーではなく、被せ部２１や弁生地６を用いたので、詰め物４の出し入れの際に、綿の繊維がチャックや面ファスナーに絡んで詰まることもない。更に、被せ部２１が、下生地３の約４割にわたって二重に被さる大きさになっているので、被せ部２１が開口１１側へ引っ張られ難く、開口１１も開き難くなっている。
【００２７】
また、本実施形態の枕１では、弁生地６で開口１１を内側から塞ぐことができるので、詰め物４の流出をより効果的に抑制することができる。しかも、弁生地６を設けたので、開口１１を大きくしても、詰め物４が流出し難くなる。なお、本実施形態の枕１では、開口１１の幅が１８ｃｍあるので、手が大きな男性等であっても、問題なく手を開口１１に差し込むことができる。
【００２８】
次に、本考案の第２の実施形態に係る枕について、図面を参照して説明する。図８（ａ）に示すように、本実施形態の枕１の外観は、上記第１の実施形態と同様であり、上生地２、下生地３、詰め物４、凹部５を備える点も同様である。また、枕袋１０の一方の側辺に設けられた開口１１を有する点や、及び上生地２の一辺から延設された被せ部２１を有する点も、第１の実施形態と同様である。一方、本実施形態では、図８（ｂ）〜（ｆ）に示すように、第１の実施形態の弁生地６がなく、下生地３の一辺から延設された二重被せ部３１を有する点において、第１の実施形態とは異なる。
【００２９】
以下に、本実施形態の枕１の作製手順について、図９〜図１１を参照して説明する。上生地２の作製手順は、上記第１の実施形態と同じである。図９（ａ）に示すように、まず、上生地２として、長辺９３ｃｍ、短辺４４ｃｍの長方形の生地を用意する。ここでは、上生地２の裏面側を上に配置して、一方の短辺を１ｃｍずつ２回にわたって、裏面側に折り返して、短辺を縫合し、端部処理を行う。そして、図９（ｂ）に示すように、端部処理を行った短辺側から更に２８ｃｍを表面側に折り返す。
【００３０】
次に、図１０（ａ）に示すように、下生地３として、長辺７７ｃｍ、短辺４４ｃｍの長方形の生地を用意する。ここでは、下生地３の表面側を上に配置して、一方の短辺を１ｃｍずつ２回にわたって、裏面側に折り返して短辺を縫合した後、図１０（ｂ）に示すように、端部処理を行った短辺側から１２ｃｍを表面側に折り返す。この折り返した生地が二重被せ部２１となる、
【００３１】
そして、図１１（ａ）に示すように、上記のように処理した下生地３の上に、上生地２を配置する。図１１（ｂ）に示すように、これらを縫合する。縫合の手順は、上記第１の実施形態と同様であり、図１１（ｃ）に示すように、一方の短辺には、１８ｃｍ程の縫合されていない箇所を設け、ここを開口１１とする。そして、開口１１を通じて、枕袋１０の裏と表が逆になるようにひっくり返して、更に、図１１（ｄ）に示すように、枕袋１０の略中央において、上生地２及び下生地３を互いに円形に縫い合わせて、凹部５を作製する。以上により、本実施形態の枕袋１０が完成する。
【００３２】
続いて、上記のようにして作製した枕袋１０に、詰め物４（ポリエステル綿）を入れていく。完成状態の枕袋１０は、開口１１が露出した状態なので（図１１（ｄ）及び図８（ｅ）（ｆ）参照）、開口１１から詰め物４を枕袋１０内に入れることができる。開口１１を塞ぐときは、まず、図８（ｃ）（ｄ）に示すように、二重被せ部３１を、下生地３側から上生地２側へ折り返す。そして、最後に、図８（ａ）（ｂ）に示すように、被せ部２１と二重被せ部３１の両方を、上生地２側から下生地３側へ折り返す。これにより、開口１１が、被せ部２１と二重被せ部３１の二重の生地により塞がれる。なお、図８（ｂ）（ｄ）（ｆ）では、説明の都合上、被せ部２１や二重被せ部３１と、上生地２や下生地３との間に隙間を設けているが、実際にそれらは殆ど隙間なく密着しており、開口１１も被せ部２１及び二重被せ部３１が重なり合って閉ざされており、詰め物４が流出することも殆どない。
【００３３】
なお、本考案は、上生地２及び下生地３の略中央に円形に縫い合わされて成る凹部５と、枕袋１０の一側辺に設けられた開口と、を有し、且つ上生地３の一辺が延設されて折り返されて成る被せ部２１を有する構成であれば、上記実施形態に限らず、種々の変形が可能である。例えば、上述した第１の実施形態では、弁生地６を上生地２の開口に取り付けたが、弁生地６は下生地３に取り付けてもよい。また、第２の実施形態は、弁生地６がなく、二重被せ部３１を設けた構成であるが、更に弁生地６を設けて、三重カバー構造としてもよい。また、上記実施形態において、凹部５は、上生地２及び下生地３を円形に縫い合わせているので、詰め物４は入らないが、円形の一部に縫い合わせない箇所を設けて、凹部５にも少量の詰め物４を入れることができるようにしてもよい。
【符号の説明】
【００３４】
１    枕
１０    枕袋
１１    開口
２    上生地
２１    被せ部
３    下生地
３１    二重被せ部
４    詰め物
５    凹部
６    弁生地
【図１】
0003232897.tif 000003
【図２】
0003232897.tif 000004
【図３】
0003232897.tif 000005
【図４】
0003232897.tif 000006
【図５】
0003232897.tif 000007
【図６】
0003232897.tif 000008
【図７】
0003232897.tif 000009
【図８】
0003232897.tif 000010
【図９】
0003232897.tif 000011
【図１０】
0003232897.tif 000012
【図１１】
0003232897.tif 000013